【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
患者の身体と信号受信接触するトランスデューサーを保持するトランスデューサー用ホルダーであって、
患者の肌に付着力で装着可能な基部と、前記基部に取付けられた、あるいは取付け可能な固定具とを有し、
使用時に、前記固定具が、前記患者の身体と信号受信接触するトランスデューサーを保持することにより、前記トランスデューサーを前記ホルダーに固定するよう構成されたトランスデューサー用ホルダー。
【請求項２】
前記基部に、前記信号受信接触を可能にする開口部が設けられている請求項１に記載のトランスデューサー用ホルダー。
【請求項３】
前記開口部が、使用時に、選択的に音響ゲル層を介して、前記トランスデューサーと患者の肌との間の直接信号受信接触を許容すべく開口している請求項２に記載のトランスデューサー用ホルダー。
【請求項４】
前記開口部がバリアフィルムによって閉塞され、ここから信号受信接触が行われる請求項２に記載のトランスデューサー用ホルダー。
【請求項５】
前記基部が、この基部を介して前記信号受信接触を可能にするよう構成されている請求項１〜４のいずれか１項に記載のトランスデューサー用ホルダー。
【請求項６】
前記基部が、２つ以上の部分を有し、各部分が患者の肌に装着可能になっている請求項１〜４のいずれか１項に記載のトランスデューサー用ホルダー。
【請求項７】
前記基部が円板状である請求項１〜６のいずれか１項に記載のトランスデューサー用ホルダー。
【請求項８】
前記基部が少なくとも１つの拡張されたアンカー領域を有するとともに、前記固定具が、前記アンカー領域において、あるいはこれに隣接して、前記基部に取付けられた、あるいは取付け可能な請求項７に記載のトランスデューサー用ホルダー。
【請求項９】
前記固定具が、前記アンカー領域の内側で、前記基部に取付けられる、あるいは取付け可能な請求項８に記載のトランスデューサー用ホルダー。
【請求項１０】
前記基部が可撓性である請求項１〜９のいずれか１項に記載のトランスデューサー用ホルダー。
【請求項１１】
前記基部が自耐硬度を有している請求項１〜１０のいずれか１項に記載のトランスデューサー用ホルダー。
【請求項１２】
前記基部が患者の肌に付着力で装着可能な請求項１〜１１のいずれか１項に記載のトランスデューサー用ホルダー。
【請求項１３】
前記固定具が弾性拡張可能な請求項１〜１２のいずれか１項に記載のトランスデューサー用ホルダー。
【請求項１４】
前記固定具の少なくとも一部が、前記基部に取り外し可能に取付け可能な請求項１〜１３のいずれか１項に記載のトランスデューサー用ホルダー。
【請求項１５】
前記固定具が長尺であり、第１端部及び第２端部を備えるとともに、前記端部の少なくとも一方が前記基部に取り外し可能に取付け可能な請求項１４に記載のトランスデューサー用ホルダー。
【請求項１６】
前記ホルダーが挿入開口部を有しており、この挿入開口部から、前記トランスデューサーが出し入れできる請求項１〜１５のいずれか１項に記載のトランスデューサー用ホルダー。
【請求項１７】
前記挿入開口部が前記固定具によって形成される請求項１６に記載のトランスデューサー用ホルダー。
【請求項１８】
前記固定具が、使用時に、前記ホルダーによって保持される前記トランスデューサー上に延設される１つまたは複数のバンドによって形成され、前記挿入開口部の周部がバンドによって形成される請求項１７に記載のトランスデューサー用ホルダー。
【請求項１９】
前記固定具が、前記挿入開口部の周部を形成する自由縁部を備えた膜によって形成される請求項１７に記載のトランスデューサー用ホルダー。
【請求項２０】
前記挿入開口部が前記基部によって形成される請求項１６に記載のトランスデューサー用ホルダー。
【請求項２１】
前記挿入開口部の一部が前記固定具によって形成されるとともに、一部が前記基部によって形成される請求項１６に記載のトランスデューサー用ホルダー。
【請求項２２】
前記固定具が、使用時に、前記ホルダーによって保持される前記トランスデューサー上に延設される１つまたは複数のバンドによって形成され、前記挿入開口部の周部の一部がバンドによって形成される請求項２１に記載のトランスデューサー用ホルダー。
【請求項２３】
前記固定具が、一部が前記挿入開口部の周部を形成している自由縁部を有する膜によって形成される請求項２１に記載のトランスデューサー用ホルダー。
【請求項２４】
前記固定具が、使用時に、ホルダーによって保持されるトランスデューサー上に延設される１本または複数のバンドを有する請求項１〜１８及び２０〜２２のいずれか１項に記載のトランスデューサー用ホルダー。
【請求項２５】
少なくとも１つのバンドが、少なくとも１つの取り外し可能な取付け具によって、前記基部に取付けられている請求項２４に記載のトランスデューサー用ホルダー。
【請求項２６】
前記固定具が２つ以上のバンドを有し、前記バンドが互いに交差する請求項２４または２５に記載のトランスデューサー用ホルダー。
【請求項２７】
前記固定具が、使用時に、前記ホルダーによって保持される前記トランスデューサー上に延設される膜を有し、前記膜が、前記基部の周部の大部分に取り付けられる、あるいは取付け可能であるとともに、前記膜の外れているわずかな周部は自由縁部を有している請求項１〜１７、１９〜２１及び２３のいずれか１項に記載のトランスデューサー用ホルダー。
【請求項２８】
請求項１〜２７のいずれか１項に記載のトランスデューサー用ホルダーと、そのトランスデューサー用ホルダーによって保持されるトランスデューサーとの結合体。
【請求項２９】
患者の身体と信号受信接触するトランスデューサーを保持する方法であって、トランスデューサー用ホルダーを患者の肌に付着力で装着すること、及び、前記トランスデューサーが患者の身体と信号受信接触するよう、前記トランスデューサーを前記ホルダーに取り外し可能に取り付けることを包含するトランスデューサーを保持する方法。
【請求項３０】
患者の身体と信号受信接触するトランスデューサーを保持する方法であって、トランスデューサーをトランスデューサー用ホルダーに取り外し可能に取り付けること、及び、前記トランスデューサーが患者の身体と信号受信接触するよう、前記トランスデューサー用ホルダーを患者の肌に付着力で取付けることを包含するトランスデューサーを保持する方法。
【手続補正２】
【補正対象書類名】明細書
【補正対象項目名】００２４
【補正方法】変更
【補正の内容】
【００２４】
この背景に対抗して、本発明は、患者の身体と信号受信接触するトランスデューサーを保持するトランスデューサー用ホルダーにあり、このホルダーは、患者の肌に付着力で装着可能な基部と、前記基部に取付けられた、あるいは取付け可能な固定具とを有し、使用時に、前記固定具が、前記患者の身体と信号受信接触するトランスデューサーを保持することにより、前記トランスデューサーを前記ホルダーに固定するよう構成されている。
【手続補正３】
【補正対象書類名】明細書
【補正対象項目名】００４４
【補正方法】変更
【補正の内容】
【００４４】
本発明の概念はまた、患者の身体と信号受信接触するトランスデューサーを保持する方法も包含し、この方法は、トランスデューサー用ホルダーを患者の肌に付着力で装着すること、及び、前記トランスデューサーが患者の身体と信号受信接触するよう、前記トランスデューサーを前記ホルダーに取り外し可能に取り付けることを包含する。
【手続補正４】
【補正対象書類名】明細書
【補正対象項目名】００４５
【補正方法】変更
【補正の内容】
【００４５】
また、本発明の概念内には、患者の身体と信号受信接触するトランスデューサーを保持する方法であって、その方法は、トランスデューサーをトランスデューサー用ホルダーに取り外し可能に取り付けること、及び、前記トランスデューサーが患者の身体と信号受信接触するよう、前記トランスデューサー用ホルダーを患者の皮膚に付着力で取付けることを包含する。